(57)【要約】【課題】ハウス内に大きな補強スペースを占めることなく、剛構造の補強構造を簡単且つ廉価に設置することができるハウスの補強構造を提供する。【解決手段】この発明は、棟方向に所定の間隔を有して複数本立設される山形に形成された山形フレーム２に、棟方向の前後フレーム３，３ａ，３ｂを交差させて連結構成する骨組構造４に、ビニルフィルムその他の被覆部材５を被覆したハウスに関する。具体的にはハウスの内側において山形に湾曲、屈曲又は組立て形成された補強支柱１０を立設し、該補強支柱１０の上端側に山形フレーム２の上端側に設けた前後フレーム３を支持する棟支持具１１を取付ける。そして上記補強支柱１０の中途部と当該位置に設けられた他の前後フレーム３ａ，３ｂとを連結固定してなる。【選択図】図８
2007319099.tif 000002
【特許請求の範囲】
【請求項１】
棟方向に所定の間隔を有して複数本立設される山形に形成された山形フレーム（２）に、棟方向の前後フレーム（３），（３ａ），（３ｂ）を交差させて連結構成する骨組構造（４）に、ビニルフィルムその他の被覆部材（５）を被覆したハウスであって、該ハウスの内側において山形に湾曲、屈曲又は組立て形成された補強支柱（１０）を立設し、該補強支柱（１０）の上端側に山形フレーム（２）の上端側に設けた前後フレーム（３）を支持する棟支持具（１１）を取付け、上記補強支柱（１０）の中途部と当該位置に設けられた他の前後フレーム（３ａ），（３ｂ）とを連結固定してなるハウスの補強構造。
【請求項２】
左右の補強支柱（１０）の上方の屋根部側内部に左右方向の支柱連結杆（３３）を設け、該支柱連結杆（３３）の両端を左右の補強支柱（１０）と連結固定した請求項１のハウスの補強構造。
【請求項３】
ハウス棟部の両側で補強支柱（１０）の屋根部側の中途部と、支柱連結杆（３３）の中央部近傍の左右位置とを吊下連結杆（３５），（３５）によって連結する請求項１又は２のハウスの補強構造。
【請求項４】
棟方向に隣接する支柱連結杆（３３），（３３）間に棟方向の棚フレーム（３７）を架設して連結固定した請求項２又は３のハウスの補強構造。
【請求項５】
棟支持具（１１）を、山形フレーム（２）内で棟フレームを構成する前後フレーム（３）を下側から受止める溝形断面の棟支持部（２０）と、該棟支持部（２０）の下部に突出形成した支持片（２１）と、該支持片（２１）の両側に突設され左右に分割形成された補強支柱（１０）の各上端部を連結する連結部（２２）とによって構成する請求項１又は２又は３又は４のハウスの補強構造。
【請求項６】
棟支持具（１１）の棟支持部（２０）の左右両側下部に、連結部（２２）を棟角度変更可能に設けて補強支柱（１０）を連結支持する請求項５のハウスの補強構造。
【請求項７】
補強支柱（１０）の周面に沿って当接する溝状断面の柱支持部（３１）と、屋根側中途部より下方又は側壁部に設けた前後フレーム（３ａ），（３ｂ）の周面に沿って当接する横枠支持部（３２）を交差状に固定した補助受止具（１３）を、補強支柱（１０）と山形フレーム（２）の側壁側部分の間に設けて骨組構造（４）を補強する請求項１又は２又は３又は４又は５又は６のハウスの補強構造。
【請求項８】
下端側に抵抗部材（１５）を付設した基礎杭（１６）をハウス側方の地盤に立設し、該基礎杭（１６）に補強支柱（１０）の基端部側を固定してなる請求項１又は２又は３又は４又は５又は６又は７のハウスの補強構造。
【発明の詳細な説明】
【技術分野】
【０００１】
本発明は、主として農業用ビニルハウス等の骨組構造を補強するハウスの補強構造に関する。
【背景技術】
【０００２】
一般に農業用のビニルハウスは、棟方向に支柱間隔を有して立設された左右の縦フレームを、その上端部を棟部連結部材で連結することにより山形フレームを形成し、隣接する各山形フレームを棟フレーム及び屋根側前後フレーム，側壁側前後フレーム等の前後フレームで棟方向に連結した丸パイプ等軽量骨材による簡易型の骨組構造となし、該骨組構造にビニルフィルム等の可撓性を有する被覆部材で覆った構成とされる。
【０００３】
従来、上記のような骨組構造からなるハウスの強風や積雪荷重等に対する補強は、例えば特許文献１で示される補強構造によって行うものが既に公知である。この補強構造は山形フレームの棟部に補強取付部を設け、該補強取付部と直下の地面に立設した補強支柱とを連結すると共に、補強取付部と補強支柱の近傍に立設される複数の縦フレームの基部側とを補強線によって連結し、棟部を定位置に牽引しハウスの補強をしている。
【特許文献１】特開平７−３３１９０７号公報
【発明の開示】
【発明が解決しようとする課題】
【０００４】
上記特許文献１で示されるハウスの補強構造は、山形フレームの棟部を直下に立設した補強支柱によって直接的に支持するので、積雪時の大きな荷重を補強支柱が支え、棟部側を下降させることなくハウスの部分陥没や倒壊を防止する利点がある。
然し、大きな積雪荷重及び台風や突風時の強風負荷が胴側面寄りの屋根面に掛かるとき、上記補強支柱は山形フレームの棟部しか支持しないので、ハウス巾が大きい場合は補強支柱の補強抗力を及ぼすことができず、この部の屋根部側と側壁部側で山形フレームが変形し易い欠点がある。
【０００５】
またハウス内で棟部直下の地面に立設される支柱は農作業の邪魔になると共に、該支柱の周囲に配設される補強線も作物の栽培スペースを減少させる欠点がある。また既設のハウスに対し後付け作業によって上記補強構造を設置する際に、栽培中の作物に広い範囲で損傷を与え易く、施工作業を行い難くする欠点があること、及び多くの補強線を配設するので補強作業が煩雑になる等の欠点がある。
【０００６】
さらに、小径パイプ等の軽量骨材によって構成され十分な補強が施されないまま施工されたハウスが強風等によって変形した際には、変形の程度によって変形したままの骨組構造に補強構造を施工しハウスの耐用年数を延長させることがある。このようなハウスにおいて上記構造による補強を行うと、変形し本来の棟部位置（ハウス巾中心）からずれた棟部を補強支柱で支持することになるので、十分な補強が行われず補強作業も煩雑でコスト高になる等の問題がある。
【課題を解決するための手段】
【０００７】
上記課題を解決するために本発明のハウスの補強構造は、第１に、棟方向に所定の間隔を有して複数本立設される山形に形成された山形フレーム２に、棟方向の前後フレーム３，３ａ，３ｂを交差させて連結構成する骨組構造４に、ビニルフィルムその他の被覆部材５を被覆したハウスであって、該ハウスの内側において山形に湾曲、屈曲又は組立て形成された補強支柱１０を立設し、該補強支柱１０の上端側に山形フレーム２の上端側に設けた前後フレーム３を支持する棟支持具１１を取付け、上記補強支柱１０の中途部と当該位置に設けられた他の前後フレーム３ａ，３ｂとを連結固定してなることを特徴としている。
【０００８】
第２に、左右の補強支柱１０の上方の屋根部側内部に左右方向の支柱連結杆３３を設け、該支柱連結杆３３の両端を左右の補強支柱１０と連結固定したことを特徴としている。
【０００９】
第３に、ハウス棟部の両側で補強支柱１０の屋根部側の中途部と、支柱連結杆３３の中央部近傍の左右位置とを吊下連結杆３５，３５によって連結することを特徴としている。
【００１０】
第４に、棟方向に隣接する支柱連結杆３３，３３間に棟方向の棚フレーム３７を架設して連結固定したことを特徴としている。
【００１１】
第５に、棟支持具１１を、山形フレーム２内で棟フレームを構成する前後フレーム３を下側から受止める溝形断面の棟支持部２０と、該棟支持部２０の下部に突出形成した支持片２１と、該支持片２１の両側に突設され左右に分割形成された補強支柱１０の各上端部を連結する連結部２２とによって構成することを特徴としている。
【００１２】
第６に、棟支持具１１の棟支持部２０の左右両側下部に、連結部２２を棟角度変更可能に設けて補強支柱１０を連結支持することを特徴としている。
【００１３】
第７に、補強支柱１０の周面に沿って当接する溝状断面の柱支持部３１と、屋根側中途部より下方又は側壁部に設けた前後フレーム３ａ，３ｂの周面に沿って当接する横枠支持部３２を交差状に固定した補助受止具１３を、補強支柱１０と山形フレーム２の側壁側部分の間に設けて骨組構造４を補強することを特徴としている。
【００１４】
第８に、下端側に抵抗部材１５を付設した基礎杭１６をハウス側方の地盤に立設し、該基礎杭１６に補強支柱１０の基端部側を固定してなることを特徴としている。
【発明の効果】
【００１５】
本発明は次のような効果を奏することができる。ハウスの骨組構造の内側で、補強支柱の上端部を、山形フレームの棟部を棟方向に連結する棟部の前後フレームに係合させる棟支持具によって連結することにより、左右の補強支柱の上端部を棟支持具を介し突き合わせ状に固定した状態で棟方向の移動を阻止し、棟フレームに加わる荷重を棟支持具及び補強支柱によって補強支持することができる。
また補強支柱の中途部と山形フレーム左右各側の前後フレームを連結することにより、補強支柱の棟方向の位置決めを行い傾倒を防止すると共に、複数の山形フレームが受ける負荷に対する抗力を向上させことができる。従ってハウス内に大きな補強スペースを占めることなく剛構造の補強構造を設置することができる。
【００１６】
左右の補強支柱の屋根部側を支柱連結杆によって連結することにより、屋根部に加わる積雪等の荷重が棟支持具を介し補強支柱を下方に曲げようとする際に、支柱連結杆が補強支柱の屋根部側を張り支持するので、補強支柱の下方曲がりを防止し棟部の下降を防止することができる。
【００１７】
左右の補強支柱と支柱連結杆の中央部近傍位置とを吊下連結杆で互いに連結することにより、補強支柱を筋交い構造によって支持し曲がりに対する抗力及び地震や台風等の大きな横揺れに対する耐久性を向上することができる。また下方荷重に対しても十分な強度を有するので、ハウス内の上方スペースを利用した棚構造を簡単に構成することができる。
【００１８】
棟方向に隣接される左右の補強支柱を連結する支柱連結杆を、棚部材となる複数の棚フレームによって連結支持することにより、隣接する補強支柱を棚フレームを介して棟方向の剛性を向上させることができる。また棚フレームはハウス巾の左右に棚構造を簡単に構成することができる。
【００１９】
棟支持具は取付角度を設定した左右の連結部によって、左右の補強支柱の上端部を無理なく連結することができる。また棟支持具は縦フレーム７に対し略一定の間隔を維持させるように前後フレームに連結することができる。
【００２０】
また棟支持具は、取付ネジ等を用いることによって連結部を仮支持した状態で自在に動かすことができるので、補強支柱に対する位置決めを容易にすることができ、連結部と補強支柱の挿入を速やかに行い取付ネジの締着によって連結固定を確実にすることができる。
【００２１】
補助受止具は補強支柱と側壁側前後フレームとの間に形成される空間部に設置され、柱支持部が補強支柱に係合し横枠支持部が側壁側前後フレームに係合して、補強支柱と側壁側前後フレームを接続するので、被覆部材が受ける強風或いは地震による縦フレームの揺れを防止し骨組構造の補強を行うことができる。
【００２２】
下端に設けた横杆を予め地中に埋めた状態で立設される基礎杭の突出部分に、補強支柱の基部側を取付固定するので、補強支柱の立設を簡単に行うことができ、また補強支柱の沈下及び浮き上がりを阻止することができる。さらに作物が植生しているハウス内での補強支柱の位置決めや立設固定等の作業を作物等を傷めることなく行うことができる。
【発明を実施するための最良の形態】
【００２３】
本発明の一実施形態を図面に基づいて説明する。図１においてハウス１は、地面に所定の支柱間隔を有して棟方向（前後方向）に多数本立設されるパイプ或いは軽量鉄骨等によってアーチ状の山形に形成される山形フレーム２に、該山形フレーム２と交差する棟フレーム３，屋根側前後フレーム３ａ，側壁側前後フレーム３ｂ・・等の複数の前後フレームを連結した骨組構造４に、ビニルフィルムやテント用シート或いはガラス等の被覆部材５で囲う簡易骨組みで構成される。
この実施形態における図示例のハウス１は農業用の温室ハウスを示し、該ハウス１に本発明に係わる補強構造６を設置施工する例について説明する。
【００２４】
先ず上記ハウス１の主フレームを構成する山形フレーム２は、図１，図２で示すように左右対称形状で対をなす半円弧状の山形に形成された縦フレーム７，７と、該縦フレーム７，７の基部側下端を地面に固定した状態で、両者の上端部を挿入して連結する正面視ヘ字状に形成された棟部連結部材８とからなる。図示例の山形フレーム２は、縦フレーム７，７の正面視の基部間隔（ハウス巾）が８ｍ程度で、棟方向の支柱間隔を５０ｃｍ程度として立設しており、隣接する各山形フレーム２の棟部連結部材８を、その谷部に下側から棟フレーム３を接当させた状態で図示しない棟部連結具によって連結している。
【００２５】
またハウス１の屋根部側を形成する各山形フレーム２の内側は屋根側前後フレーム３ａによって連結し、ハウス１の側壁側を形成する内側は側壁側前後フレーム３ｂによって連結し、棟方向長さが数十メートル以上の骨組構造４を構成している。また長い骨組構造４のハウス１は、図１の点線で示すように大きく湾曲形成された筋交い用のパイプ材７ａが、各山形フレーム２の内側に沿って交差状に配筋される。
そして、図２で示すように上記骨組構造４に対し内部から、補強を要する局所並び
に棟方向に所定の補強間隔を有して補強構造６を設置施工することができる。
【００２６】
図示例の補強構造６は、前記左右の縦フレーム７，７に内側から略同形状に沿うように屈曲形成された左右の補強支柱１０，１０と、該補強支柱１０，１０の基部を地面に立設した状態で、両者の上端部を連結すると共に棟フレーム３を下方から接当して、後述するように棟荷重を支持する棟支持具１１等からなる。
上記補強支柱１０はその中途部の所定箇所を、屋根側前後フレーム３ａと補強連結具１２によって連結すると共に、側壁側前後フレーム３ｂと補助受止具１３によって連結し、棟方向の傾倒を防止し骨組構造４の補強をすることができる。
【００２７】
補強支柱１０の地面に対する立設は、図２で示す左側の補強支柱１０のように、地中に掘削した穴に抵抗部材１５を取付固定した状態で挿入し、土を埋め戻して支柱の沈下及び浮き上がりを防止する手段、或は同図の右側に示す補強支柱１０のように、抵抗部材１５を連結具１５ａによって連結した基礎杭１６を予め地中に埋設固定し、この基礎杭１６の突出部分に補強支柱１０の基部を基部連結具１７によって連結する手段等によって行うことができる。尚、補強支柱１０の立設手段は上記の他種々の手段を選択して行うことができる。
【００２８】
また基礎杭１６を使用した立設手段は、農業用として既設のハウス１に対し後付け作業によって補強構造６を施工する際に補強支柱１０を簡単に立設することができる。即ち、この場合には施工現場に適した杭穴の掘削作業及び杭立設の作業を、補強支柱１０を予め立設した基礎杭１６に対し基部連結具１７を介して連結するだけで簡単に行うことができる。また補強支柱１０の位置決めや立設固定等の作業を、ハウス内で植生している作物等を傷めることなく容易に行うことができる等の利点がある。
【００２９】
次に図３〜図７を参照し棟支持具１１の各種実施形態及び補助受止具１３について説明する。先ず図３，図４で示す第１実施形態に係わる棟支持具１１は、隣接する棟部連結部材８，８の間で棟フレーム３に下側から嵌合して接当する支持長さで断面Ｖ又はＵ字状をなす棟支持部２０と、該棟支持部２０の中央下部に下向きに突設した支持片２１と、該支持片２１の両側面で対向する位置に、ハウス１の棟傾斜角に略沿った角度で突設される連結部２２，２２等から構成している。
【００３０】
この棟支持具１１の連結部２２は、補強支柱１０の直径７０程度と略同じ太さのパイプ材とし、両者のパイプ孔に両端を挿入して接続する接続具２３を挿入する長さにしている。図示例の接続具２３は、２分割された接続片を拡縮操作可能に構成された市販のものを採用しており、この両端をそれぞれ連結部２２と補強支柱１０に仮挿入した状態で、棟支持部２０を棟フレーム３に接当し位置決めした挿入位置で、接続具２３の拡張操作をすることにより、連結部２２と補強支柱１０を強く連結することができる。
【００３１】
この実施形態による棟支持具１１は、風や積雪等によって変形したハウス局所の山形フレーム２の形状に対応させて、左右非対称に屈曲形成した補強支柱１０，１０を簡単に連結することができる。即ち、予め変形状況が把握された山形フレーム２の形状に対応した角度を形成するように連結部２２の接合端を傾斜切断し、該接合端を支持片２１に
溶接等の接合手段によって取付固定する。
【００３２】
これにより棟支持具１１は図４の点線で示すように、取付角度を設定した左右の連結部２２，２２によって、左右の補強支柱１０，１０の上端部を無理なく確実に連結することができる。また支持片２１は棟フレーム３の下方で連結部２２に接続される補強支柱１０の位置を定めることができ、該連結部２２及び補強支柱１０等を無駄な形状で曲げることなく、縦フレーム７に対し略一定の間隔を維持させ屋根側前後フレーム３ａ等の前後フレームに連結することができる。
【００３３】
従って、十分な補強が施されないまま施工される既存のハウス１に対し、後付け作業によって補強構造６を設置する際に、山形フレーム２の変形状態に対応させて相似的な形状となして形成した補強支柱１０の立設を廉価な構成となし簡単に行うことができる。
また上記のように施工される補強支柱１０は、変形した山形フレーム２の外側に突出しないので、被覆部材５の張設に支障を生じない。
【００３４】
また棟支持具１１は棟フレーム３に接当させた状態で、両者を連結すると棟フレーム３の浮き上がりや横ずれ等を防止することができ、ハウス１の強度及び耐久性等を向上させることができる。この場合の連結具は針金を巻き付ける締着手段によって行うこともできるが、図３，図４に点線で示すようなＵボルト２５，座金２６，ナット２７等を用い複数箇所を連結することが望ましい。
【００３５】
このＵボルト２５は縦フレーム７より小径で上方から棟フレーム３を跨いだ状態で、棟支持部２０の下方に設ける座金２６に挿入しナット２７を装着すると、棟フレーム３に対し棟支持具１１を仮取付け状態にすることができる。従って、この状態において棟支持具１１を動かし、連結部２２に対し補強支柱１０の位置決め及び挿入を行い易くすることができる。こののちナット２７を締着することにより、棟フレーム３に棟支持部２０を強く接合することができ、棟支持具１１の棟方向の固定を確実にし、また棟フレーム３を補強支柱１０及び棟支持具１１によって安定よく補強支持することができる。
【００３６】
次に図５で示す第２実施形態の棟支持具１１について説明する。この棟支持具１１は、前記第１実施形態のものと同様な棟支持部２０に設けた支持片２１の左右に、取付ネジ２９を挿入自在な取付部３０を突設している。また連結部２２はパイプ材の一端に取付ネジ２９を挿入自在な取付部を形成している。そして、取付部３０に連結部２２の取付部を接当した状態で、両者に取付ネジ２９を挿入してネジ締め固定をすることができる。
【００３７】
上記構成による棟支持具１１は、取付ネジ２９によって連結部２２を仮支持した状態で自在に動かすことができるので、補強支柱１０に対する位置決めを容易にすることができ、後付け作業によって補強構造６を施工する場合でも、連結部２２と補強支柱１０の挿入を速やかに行うことができると共に、取付ネジ２９の締着によって連結固定を確実にすることができる。
【００３８】
図６で示す第３実施形態の棟支持具１１は、棟支持部２０の下部左右に設ける連結部２２を、予め所定の棟角度で中央部を屈曲形成した一本のパイプ材で構成した例を示す。また支持片２１は連結部２２の中央部を棟支持部２０に強固に取付ける補強部材にしている。
この例による棟支持具１１は簡潔な構成で廉価に量産することができ、また棟角度を棟部連結部材８に対応させた一定角によって製造されるので、新規に施工されるハウス１に対する骨組構造４用のものとして、補強構造６の施工を行う際の標準的な部品として好適化することができる等の利点がある。
【００３９】
次に図７を参照し補助受止具１３について説明する。この補助受止具１３は主として骨組構造４の側壁部側において、補強支柱１０と縦フレーム７の間に設置し、両者の隙間を埋めて山形フレーム２の補強を行うことができる。図示例の補助受止具１３は、補強支柱１０の外周に嵌合し上下方向に所定の支持長さを有するアングル状の柱支持部３１と、該柱支持部３１に交差状に設けられ側壁側前後フレーム３ｂ等の前後フレームに係合する横枠支持部３２とからなる。図示例の横枠支持部３２は、側壁側前後フレーム３ｂの外周に嵌合するアングル部材を所定の支持長さに形成している。
【００４０】
上記構成による補助受止具１３は、骨組構造４内に設置した補強構造６の補強支柱１０と、側壁側前後フレーム３ｂとの間に形成される空間部に設置し両者を接続することができる。これにより被覆部材５が受ける強風或いは地震による縦フレーム７の揺れに対する補強を、側壁側前後フレーム３ｂの中途部を支持する補助受止具１３を介し補強支柱１０によって効果的に行うことができる。
【００４１】
またＵボルト２５等の固定具によって、柱支持部３１を補強支柱１０に、横枠支持部３２を側壁側前後フレーム３ｂに連結固定すると、補助受止具１３を介し側壁側前後フレーム３ｂを補強支柱１０に強固に接合することができる。
また補助受止具１３は、柱支持部３１に対し横枠支持部３２をネジ或いは長孔等による間隔調節機構を設けて支持すると、補強支柱１０と側壁側前後フレーム３ｂの空間部が不定な、例えば大きく変形した既設のハウス１の補強に対して使用することができる。
【００４２】
以上のように構成される補強構造６をハウス１に設置する際には、先ず骨組構造４の内部で補強を要する箇所に、縦フレーム７の基部に近接させて左右の補強支柱１０を立設する。次いで棟支持具１１の連結部２２を上記補強支柱１０の上端部と連結した状態で、棟支持部２０を棟フレーム３に位置決めする。次いで補強支柱１０の中途部を補強連結具１２並びに補助受止具１３によって、屋根側前後フレーム３ａと側壁側前後フレーム３ｂ等に連結し、補強支柱１０，１０の位置決め固定をする。このとき必要によりＵ字状ボルト２５等の固定手段によって、棟フレーム３及び側壁側前後フレーム３ｂと連結固定する。
【００４３】
これにより基部が地面に固定されアーチ状に対向する左右の補強支柱１０，１０は、上端の対向部を棟支持具１１を介して突き合わせ状に固定支持されるので、棟側から加わる積雪等の荷重負荷を強度を有して支持することができる。また補強支柱１０は中途部を屋根側前後フレーム３ａ或いは側壁側前後フレーム３ｂに連結支持されるので、補強支柱１０の棟方向（前後方向）への位置決めと傾倒を防止し、且つ複数の縦フレーム７が受ける下方向の荷重及び風圧による上方向の負荷を強度を有して支持することができる。
【００４４】
以上のようにハウス１の骨組構造４の内側で山形フレーム２に沿わせて立設した左右の補強支柱１０，１０は、従来のもののようにハウス内中央部の地面に補強支柱等を立設することなく、ハウス１の補強構造６を棟フレーム３及び屋根側前後フレーム３ａに連結した剛構造することができる。また補強支柱１０は縦フレーム７の基部側に接近させて立設するので、ハウス１内のスペースを損なうことなく有効活用することができる。
【００４５】
また上記構成による補強構造６は、補強支柱１０を丸パイプ材からなる縦フレーム７より数倍程度の太さの丸パイプで統一的に構成することができ、製作及び取り扱い性に優れると共に、骨組みに際して市販されているダブルチャック型のパイプ連結具を使用することができ、施工が簡単で廉価な構成にすることができる。
従って、古いハウス１や変形したハウス１に対しても、補強構造６を簡単に設置施工することができ、以後の耐久性を向上させることができる。
【００４６】
次に図８，図９を参照し補強構造６の第２実施形態について説明する。尚、前記実施形態のものと同様な構成及び作用等については説明を省略する。
この補強構造６は左右の補強支柱１０，１０の屋根部側を支柱連結杆３３によって連結することにより、上方及び下方並びに側方から掛かる負荷に対する耐久性を向上させている。即ち、屋根部に加わる積雪等の荷重（棟部荷重）が棟支持具１１を介し補強支柱１０を下方に曲げようとする際に、支柱連結杆３３が補強支柱１０の屋根部側の側壁部側に近い部分を張り支持しているので、補強支柱１０の下方曲がりを防止し棟部の下降を防止することができる。
【００４７】
また上記のようにハウス１の屋根部側に集中する荷重は、図８の点線Ａで示すように縦フレーム７の側壁部側を外側に向けて拡開移動させたのち、耐久限界を越え屋根部側を点線Ｂで示すように下方に曲げ棟部を下降させ陥没させようとする。このような荷重に対し補強支柱１０は縦フレーム７の屋根部側を連結支持し、且つこの補強支柱１０の連結部分を補強連結具１２を介して支柱連結杆３３と連結し、該支柱連結杆３３は他方の補強支柱１０と連結しているので、補強支柱１０が上記縦フレーム７を拡開移動させる拡開力に対し十分な抗力を有し縦フレーム７の変形を確実に防止する。
【００４８】
尚、施工に当たり各パイプ連結具は廉価に市販されているダブルチャック型の連結具を用いることが望ましい。また補強連結具１２は、補強支柱１０に取付固定される一つの連結部（チャック部）に、屋根側前後フレーム３ａの小径なパイプ材を取付支持する連結部と、補強支柱１０と略同径状のパイプ材からなる支柱連結杆３３を取付支持する連結部を、自在継手構造によって一体的に構成したものであることが望ましい。
【００４９】
そして、この実施形態による補強構造６は、棟部の両側で補強支柱１０の屋根部側の中途部と、支柱連結杆３３の中央部から左右の等距離位置とを、逆ハ字状に対向させた吊下連結杆３５，３５によって、連結具３６，３６を介し着脱可能に連結している。
これにより補強支柱１０は棟支持具１１に近い屋根部側が、前記左右の補強支柱１０，１０を連結する支柱連結杆３３の中央部寄りに連結され筋交い構造で支持されるので、下方向への曲がり抗力及び上方曲がり抗力が向上する。また地震や台風等による大きな横揺れに対し、棟支持具１１と補強支柱１０の離脱を阻止することができる。
【００５０】
さらに、筋交い構造で支持される支柱連結杆３３は、下方荷重に対しても十分な強度を有するので、該支柱連結杆３３に重量物を吊り下げたり載せたりすることができる。従って上記補強構造６によりハウス１内の上方スペースを利用した棚構造を、簡単且つ廉価に製作することができる等の特徴がある。
【００５１】
次に図８，図９を参照し棚構造について説明する。図示例の棚構造は隣接する補強支柱１０，１０の上記補強構造６，６による支柱連結杆３３，３３の上部又は下部に、棚板部材となるパイプ材からなる複数の棚フレーム３７の両端を連結具３８によって連結支持すると共に、必要により複数の棚フレーム３７に棚板３９を張設する。
【００５２】
上記のように構成される棚構造は図８に示すように、ハウス１の左右に振り分けて構成することができ、この場合には棟部下方に広い空間部を形成するので、この空間部から棚板３９に載置する物品の出し入れを行い易くすることができる。
【００５３】
以上のように構成し使用することができる補強構造６は、数十メートル以上の長いハウスに対しても所定の間隔で立設した少ない補強支柱１０によって、広い範囲を効率よく補強することができ、農業用ハウスの他同様な骨組構造からなる車庫や物置等の構造物に対しても簡単に設置施工することができる。またハウス１内の中央部地面に邪魔になる補強支柱を立設することなく、補強支柱１０を山形フレーム２にできるだけ近接させて補強するので、ハウス内空間を狭くすることがない等の特徴がある。
【図面の簡単な説明】
【００５４】
【図１】本発明に係わる補強構造を設置したハウスの要部の構成を示す斜視図である。
【図２】図１の骨組構造に対する補強構造の構成を示す正面図である。
【図３】補強構造に使用する棟支持具の第１実施形態を示す斜視図である。
【図４】図３の正面図である。
【図５】棟支持具の第２実施形態を示す斜視図である。
【図６】棟支持具の第３実施形態を示す斜視図である。
【図７】補助受止具の斜視図である。
【図８】補強構造の別実施形態を示す正面図である。
【図９】図８の棚構造の構成を示す側面図である。
【符号の説明】
【００５５】
１    ハウス（農業用ハウス）
２    山形フレーム
３    棟フレーム（前後フレーム）
３ａ  屋根側前後フレーム（前後フレーム）
３ｂ  側壁側前後フレーム（前後フレーム）
４    骨組構造
５    被覆部材
６    補強構造
７    縦フレーム
８    棟部連結部材
１０  補強支柱
１１  棟支持具
１５  抵抗部材
１６  基礎杭
３３  支柱連結杆
３５  吊下連結杆
【図１】
2007319099.tif 000003
【図２】
2007319099.tif 000004
【図３】
2007319099.tif 000005
【図４】
2007319099.tif 000006
【図５】
2007319099.tif 000007
【図６】
2007319099.tif 000008
【図７】
2007319099.tif 000009
【図８】
2007319099.tif 000010
【図９】
2007319099.tif 000011